(57)【特許請求の範囲】
【請求項１】
洗面器又はキッチンシンクのトラップから延びる排水本管と貯湯式電気温水器とを接続して上記貯湯式電気温水器から排出された洗浄排水を上記排水本管へ排水する排水トラップであって、
上下方向に延びるように配置された筒状の本体部であって、この本体部の側部に設けられて上記本体部内の洗浄排水を上記排水本管へ流出させる流出部、この流出部よりも上方に設けられた通気部、及び上記本体部内に封水面を形成するトラップ形成部を備えた上記本体部と、
この本体部の頂部に設けられて上記貯湯式電気温水器から排出された洗浄排水を上記本体部内に向けて鉛直方向下方に噴出させる噴出ノズル部と、
上記本体部内における上記封水面よりも上方の空間領域を上部空間領域と下部空間領域とに区分する仕切り部と、を有し、
上記仕切り部は、上記噴出ノズル部から噴出された上記洗浄排水を上記上部空間領域から上記下部空間領域に流入させる開口を備え、上記噴出ノズル部から上記本体部内に噴出された上記洗浄排水が上記上部空間領域から上記下部空間領域内に流入している状態で上記上部空間領域と上記下部空間領域とを互いに気密に区分しており、
上記仕切り部の開口は、上記噴出ノズル部と同一軸線上に配置されていることを特徴とする排水トラップ。
【請求項２】
さらに、上記上部空間領域と上記下部空間領域との間を密封するシール部材を有する請求項１記載の排水トラップ。
【請求項３】
上記仕切り部は、上記上部空間領域と上記下部空間領域とを上下方向に区分する円錐台状の縮径部とこの縮径部の下端から下方に延びるノズル部とからなる漏斗形状部を備えている請求項１又は２に記載の排水トラップ。
【請求項４】
上記ノズル部の直径は、上記噴出ノズル部の直径と同一に設定されている請求項３記載の排水トラップ。
【請求項５】
上記ノズル部の下端部は、上記ノズル部の長軸方向に対して傾斜している請求項３又は４に記載の排水トラップ。
【請求項６】
さらに、上記噴出ノズル部を含み且つ上記貯湯式電気温水器から延びる排水用の管部材が接続される接続部材を有し、
この接続部材の内部には、上記排水用の管部材から排出された洗浄排水を上記噴出ノズル部に流出させる通水路が形成され、
上記噴出ノズル部の下流側端部の開口直径は、上記通水路の上流側端部の開口直径よりも小さくなるように設定されている請求項１乃至５の何れか１項に記載の排水トラップ。
【発明の詳細な説明】
【技術分野】
【０００１】
本発明は、排水トラップに係り、特に、洗面器又はキッチンシンクのトラップから延びる排水本管と貯湯式電気温水器とを接続して、この貯湯式電気温水器から排出された湯水（以下「洗浄排水」という。）を排水本管へ排水する排水トラップに関する。
【背景技術】
【０００２】
従来、貯湯式電気温水器においては、洗面所やキッチン等に設置され、適温に調整されて貯湯槽に貯められた湯が、洗面所の洗面器やキッチンシンク側で飲料水生成等に使用されるものがある。
また、このような従来の貯湯式電気温水器は、飲料水用として衛生面への配慮から、長期間使用されない場合に貯湯槽の湯を自動で水と入れ替える機能（以下「湯水入替機能」という。）を有するものがある。この湯水入替機能により貯湯槽から排出された湯（洗浄排水）については、建物の排水本管へ直接排水するのではなく、洗面所又はキッチンのトラップから延びる排水本管と貯湯式電気温水器との間に設置された排水ホッパー（排水トラップ）を介して間接的に排水本管に排水されるようになっている（例えば、特許文献１参照）。
さらに、このような特許文献１に記載されている従来の排水トラップにおいては、その上方に排水口空間を確保するための開口部が設けられており、給水配管に直結された貯湯式電気温水器へ排水本管からの汚水が逆流することを防いでいる。
【先行技術文献】
【特許文献】
【０００３】
【特許文献１】特開２０１１−１５８１１３号公報
【発明の概要】
【発明が解決しようとする課題】
【０００４】
しかしながら、上述した従来の排水トラップにおいては、例えば、キッチンシンクのトラップから延びる排水本管と貯湯式電気温水器とを接続した場合、キッチンシンクのトラップ内の封水で排水本管から逆流する空気を封止しているため、下流側の排水本管内で、異物や堆積物等による詰まりや逆勾配施工等の圧力損失によって排水能力を低下させる要因が生じている場合には、排水トラップからの洗浄排水の排水能力が排水本管の排水能力を上回り、排水本管に排水が溜まってしまう恐れがあるという問題がある。
このとき、キッチンシンクのトラップ内の封水と下流の排水本管の排水溜まりとの間に閉塞された空間が生じ、この空間内に空気（以下「閉塞空気」という。）が溜まってしまうという問題がある。
また、このように排水本管内の閉塞された空間が生じている状態で、貯湯式電気温水器から排出された洗浄排水が排水トラップから排水本管に流れ込み続けると、この排水本管内に流れ込んだ洗浄排水の体積分だけ閉塞空気の圧力が上昇することになる。
そして、次第に高められた閉塞空気の圧力により、排水トラップから排水本管に洗浄排水を流すことができなくなり、排水トラップ内に洗浄排水が溜まってしまい、最終的には、排水トラップの上方に位置する通気用の開口部から洗浄排水が漏水し、排水トラップの設置場所の屋内を濡らしてしまう可能性があるという問題がある。
【０００５】
そこで、本発明は、上述した従来技術の問題を解決するためになされたものであり、貯湯式電気温水器から排出された洗浄排水を屋内へ漏水させることなく確実に下流側に排水することができる排水トラップを提供することを目的としている。
【課題を解決するための手段】
【０００６】
上記の目的を達成するために、本発明は、洗面器又はキッチンシンクのトラップから延びる排水本管と貯湯式電気温水器とを接続して上記貯湯式電気温水器から排出された洗浄排水を上記排水本管へ排水する排水トラップであって、上下方向に延びるように配置された筒状の本体部であって、この本体部の側部に設けられて上記本体部内の洗浄排水を上記排水本管へ流出させる流出部、この流出部よりも上方に設けられた通気部、及び上記本体部内に封水面を形成するトラップ形成部を備えた上記本体部と、この本体部の頂部に設けられて上記貯湯式電気温水器から排出された洗浄排水を上記本体部内に向けて鉛直方向下方に噴出させる噴出ノズル部と、上記本体部内における上記封水面よりも上方の空間領域を上部空間領域と下部空間領域とに区分する仕切り部と、を有し、上記仕切り部は、上記噴出ノズル部から噴出された上記洗浄排水を上記上部空間領域から上記下部空間領域に流入させる開口を備え、上記噴出ノズル部から上記本体部内に噴出された上記洗浄排水が上記上部空間領域から上記下部空間領域内に流入している状態で上記上部空間領域と上記下部空間領域とを互いに気密に区分しており、上記仕切り部の開口は、上記噴出ノズル部と同一軸線上に配置されていることを特徴としている。
このように構成された本発明においては、貯湯式電気温水器から排出された洗浄排水が噴出ノズル部から本体部内に噴出されて上部空間領域から下部空間領域内に流入している状態で、仕切り部が上部空間領域と下部空間領域とを互いに気密に区分していることにより、下部空間領域内の圧力が上部空間領域内に逃げることを防ぐことができる。
したがって、貯湯式電気温水器から排水トラップの本体部内に排出された洗浄排水が、流出部から洗面器又はキッチンシンクのトラップから延びる排水本管へ排水される際に、仕切り部が設けられていない場合に比べて、排水トラップの内圧（特に、下部空間領域内の圧力）を効果的に高めることができるため、排水トラップの流出部から排水本管内へ排水される洗浄排水の水圧を高めることができる。
また、万一、排水トラップの下流側の排水本管内において、例えば、異物や堆積物等による詰まりや逆勾配施工等による圧力損失によって排水能力を低下させる要因が生じている状態であっても、排水本管内に滞留していた空気を排水トラップ内で高められた圧力により洗面器又はキッチンシンクのトラップ側に押し出して逃がすことができるため、排水本管内に滞留する空気の圧力上昇を抑制することができる。
これらの結果、排水トラップの下流側の排水本管内の排水が、排水トラップ内の下部空間領域から上部空間領域にまで逆流し、通気部等から排水トラップの設置場所の屋内へ漏水することを防ぐことができると共に、貯湯式電気温水器から排水トラップ内に排出された洗浄排水を確実に排水本管へ排水することができる。
【０００７】
本発明において、好ましくは、さらに、上記上部空間領域と上記下部空間領域との間を密封するシール部材を有する。
このように構成された本発明においては、上部空間領域と下部空間領域との間を密封するシール部材をさらに有することにより、上部空間領域と下部空間領域との間から洗浄排水が漏出することを防ぐことができる。
また、噴出ノズル部から噴出された洗浄排水が上部空間領域を経て下部空間領域に流入している状態で上部空間領域と下部空間領域との互いの気密性をより効果的に高めることができるため、上部空間領域と下部空間領域との間の内圧を高めて、排水本管内に滞留していた空気に対して排水される洗浄排水の水圧を効果的に高めることができる。
【０００８】
本発明において、好ましくは、上記仕切り部は、上記上部空間領域と上記下部空間領域とを上下方向に区分する円錐台状の縮径部とこの縮径部の下端から下方に延びるノズル部とからなる漏斗形状部を備えている。
このように構成された本発明においては、仕切り部の漏斗形状部の円錐台状の縮径部により上部空間領域と下部空間領域とを上下方向に区分し、仕切り部の漏斗形状部のノズル部により上部空間領域と下部空間領域とが連通する流路断面積を絞り込むことができる。  したがって、噴出ノズル部から本体部内に噴出された洗浄排水が上部空間領域からノズル部を通過して下部空間領域内に流入する際の水圧を高めることができ、排水本管内に滞留していた空気に対して排水される洗浄排水の水圧をより効果的に高めることができる。
【０００９】
本発明において、好ましくは、上記ノズル部の直径は、上記噴出ノズル部の直径と同一に設定されている。
このように構成された本発明においては、ノズル部の直径が噴出ノズル部の直径と同一に設定されているため、噴出ノズル部から本体部内に噴出された洗浄排水が、上部空間領域からノズル部を通過している状態では、ノズル部内が噴出ノズル部から噴出された水流で満たされることにより、上部空間領域と下部空間領域との連通を遮断することができる。
したがって、下部空間領域内の圧力が上部空間領域内に逃げることを防ぐことができる。
【００１０】
本発明において、好ましくは、上記ノズル部の下端部は、上記ノズル部の長軸方向に対して傾斜している。
このように構成された本発明においては、ノズル部の下端部がノズル部の長軸方向に対して傾斜していることにより、噴出ノズル部から噴出される洗浄排水を止水した際に、ノズル部の下端部において残水の表面張力による水膜が形成され難くなり、水切れを良くすることができる。したがって、止水時には、上部空間領域と下部空間領域とを互いにノズル部で連通させると共に、通気部によって大気開放させることができるため、上部空間領域と下部空間領域との間における閉塞空気の発生を抑制することができる。
【００１１】
本発明において、好ましくは、さらに、上記噴出ノズル部を含み且つ上記貯湯式電気温水器から延びる排水用の管部材が接続される接続部材を有し、この接続部材の内部には、上記排水用の管部材から上記上流側接続部に排出された洗浄排水を上記ノズル部に流出させる通水路が形成され、上記噴出ノズル部の下流側端部の開口直径は、上記通水路の上流側端部の開口直径よりも小さくなるように設定されている。
このように構成された本発明においては、噴出ノズル部を含み且つ貯湯式電気温水器から延びる排水用の管部材が接続される接続部材をさらに有しており、この上流側接続部の内部には、排水用の管部材から上流側接続部に排出された洗浄排水を噴出ノズル部に流出させる通水路が形成され、噴出ノズル部の下流側端部の開口直径が通水路の上流側端部の開口直径よりも小さくなるように設定されているため、排水用の管部材から上流側接続部の通水路に排出されて噴出ノズル部に流れ込んだ洗浄排水について、噴出ノズル部の下流側端部の開口から流速を高めた状態で洗浄排水を噴出させることができる。
したがって、排水本管内に滞留していた空気に対して排水される洗浄排水の水圧をより効果的に高めることができる。
【発明の効果】
【００１２】
本発明の排水トラップによれば、貯湯式電気温水器から排出された洗浄排水を屋内へ漏水させることなく確実に下流側に排水することができる。
【図面の簡単な説明】
【００１３】
【図１】本発明の一実施形態による排水トラップについて、キッチンシンクのトラップから延びる排水本管と貯湯式電気温水器との間に設置した状態を示す正面概略図である。
【図２】本発明の一実施形態による排水トラップの正面断面図であり、キッチンシンクのトラップから延びる排水本管の接続継手に接続された状態を示す。
【図３】図２に示す本発明の一実施形態による排水トラップの上方部分を拡大した部分拡大断面図である。
【図４】図２に示す本発明の一実施形態による排水トラップの上下方向の中間部分を拡大した部分拡大断面図である。
【図５】本発明の一実施形態による排水トラップにおいて、貯湯式電気温水器から排出された洗浄排水を排水本管へ排水している状態を概略的に説明した図である。
【発明を実施するための形態】
【００１４】
以下、添付図面を参照して本発明の一実施形態による排水トラップについて説明する。
まず、図１は、本発明の一実施形態による排水トラップについて、キッチンシンクのトラップから延びる排水本管と貯湯式電気温水器との間に設置した状態を示す正面概略図である。
図１に示すように、本実施形態による排水トラップ１は、キッチンシンク２のトラップ４から延びる排水本管６と貯湯式電気温水器８とを接続するように設置されている。
ここで、貯湯式電気温水器８は、適温に調整されて貯湯式電気温水器８内の貯湯槽（図示せず）に貯められた湯がキッチンシンク２側で飲料水生成等に使用される形態のものであり、従来の貯湯式電気温水器の構造と同様のものであるため、これらの詳細な説明については省略する。
また、貯湯式電気温水器８内で発生した膨張水等の排水、及び湯水入替機能により貯湯式電気温水器８内の貯湯槽（図示せず）から排出された湯（洗浄排水）については、貯湯式電気温水器８の排水用の管部材である排水ホース１０内を流れて排水トラップ１内に排出されるようになっている。
例えば、貯湯式電気温水器８の湯水入替機能においては、長期間、湯を使用しなかった際の衛生面に配慮し、タイマー（図示せず）で電磁弁（図示せず）を開閉させて、貯湯槽（図示せず）の湯について、水を混ぜて６０℃以下にし、貯湯式電気温水器８から排水トラップ１に洗浄排水を約２Ｌ／ｍｉｎの流量で排水するようになっている。
【００１５】
つぎに、図２〜図４を参照して、本実施形態による排水トラップ１の構造について具体的に説明する。
まず、図２は、本発明の一実施形態による排水トラップの正面断面図であり、キッチンシンクのトラップから延びる排水本管の接続継手に接続された状態を示す。
図２に示すように、排水トラップ１は、上下方向に延びるように配置された筒状の本体部１２と、この本体部１２の頂部に設けられて貯湯式電気温水器８から延びる排水ホース１０の下流側端部が接続される接続部材であるホース継手部材１４とを備えている。
そして、このホース継手部材１４の内部には、貯湯式電気温水器８から排出された洗浄排水を本体部１２内に向けて鉛直方向下方に噴出させる噴出ノズル部である噴出ノズル孔１４ａが形成されている。
また、排水トラップ１の本体部１２の側部には、本体部１２内の洗浄排水を排水本管６の一部の接続継手１６を介して排水本管６へ流出させる流出部である流出口１８が形成されると共に、この流出口１８よりも上方には、通気部である通気口２０が形成されている。
さらに、排水トラップ１は、本体部１２内に設けられて封水面Ｗ０を形成するトラップ形成部である下側内筒部材２２とを備えている。
さらに、排水トラップ１は、本体部１２内における封水面Ｗ０よりも上方の空間領域Ｓを上部空間領域Ｓ１と下部空間領域Ｓ２とに区分する仕切り部である上側内筒部材２４を備えている。この仕切り部である上側内筒部材２４は、詳細は後述するが、噴出ノズル孔１４ａから本体部１２内に噴出された洗浄排水が上部空間領域Ｓ１から下部空間領域Ｓ２内に流入している状態で上部空間領域Ｓ１と下部空間領域Ｓ２とを互いに気密に区分するようになっている。
【００１６】
つぎに、排水トラップ１の本体部１２は、具体的には、上側外筒部材２６と、この上側外筒部材２６の下方に取り付けられた下側外筒部材２８と、この下側外筒部材２８の底部に取り付けられた底部材３０とからなる。
また、上側外筒部材２６と下側外筒部材２８は、下側外筒部材２８の上方部分が上側外筒部材２６内の下方部分に挿入された状態で本体部１２の長手方向の中心軸線Ｃ１に沿って同軸上に取り付けられている。
【００１７】
つぎに、図３は、図２に示す本発明の一実施形態による排水トラップの上方部分を拡大した部分拡大断面図である。
図２及び図３に示すように、ホース継手部材１４は、本体部１２の上側外筒部材２６の頂部に設けられている。そして、このホース継手部材１４の内部に形成される噴出ノズル孔１４ａは、具体的には、本体部１２の中心軸線Ｃ１に沿って上下方向に延びる単一の噴出ノズル孔を形成している。
また、図２及び図３に示すように、ホース継手部材１４は、排水ホース１０が接続される上流側接続部３８を備えている。この上流側接続部３８の内部には、貯湯式電気温水器８から排水ホース１０を経て上流側接続部３８に排出された洗浄排水を噴出ノズル孔１４ａに流出させる通水路４０が、上流側接続部３８から噴出ノズル孔１４ａの上端部（上流側端部）まで延びるように形成されている。
【００１８】
つぎに、図４は、図２に示す本発明の一実施形態による排水トラップの上下方向の中間部分を拡大した部分拡大断面図である。
図２及び図４に示すように、排水トラップ１の流出部は、具体的には、下側外筒部材２８の側部上方に流出口１８を形成すると共に、この流出口１８の下流側に設けられて接続継手１６が接続される下流側接続部４４を備えている。これらの流出口１８と下流側接続部４４との間の通水路内には、排水本管６内の排水が接続継手１６から流出部１８内へ逆流することを防止する逆止弁４６が設けられている。
また、図２及び図３に示すように、排水トラップ１の通気部である通気口２０は、具体的には、上側外筒部材２６の側部上方に周方向に配列された複数の縦長の通気口からなり、上部空間領域Ｓ１を大気開放させるためのものである。
【００１９】
つぎに、図２及び図４に示すように、排水トラップ１のトラップ形成部である下側内筒部材２２は、具体的には、下側外筒部材２８の内部に中心軸線Ｃ１を中心に同心状配置されている。
また、図２及び図４に示すように、排水トラップ１の仕切り部である上側内筒部材２４は、具体的には、上側外筒部材２６の内部に中心軸線Ｃ１を中心に同心状配置されている。
ここで、下側外筒部材２８の上方部分の内周側取付部２８ａには、下側内筒部材２２の上方部分の外周側取付部２２ａが取り付けられており、両取付部２８ａ，２２ａの隙間には、上部空間領域Ｓ１と下部空間領域Ｓ２とが互いに連通しないようにＯリング５４が密封して設けられている。
【００２０】
さらに、図２及び図４に示すように、排水トラップ１の下側外筒部材２８及び下側内筒部材２２の内部の封水の封水面Ｗ０の高さ位置は、洗浄排水が流出口１８から排出される前の状態では、流出口１８の内の下端の高さ位置とほぼ同一高さ位置になっている。
また、図２に示すように、洗浄排水の水頭圧（ヘッド圧）をできるだけ高く設定するために、流出口１８の下端位置Ｐ１から通気口２０の下端である溢れ面Ｗ１までの高さ距離Ｈ１が、例えば、７０ｍｍ〜８０ｍｍに設定されている。
【００２１】
さらに、図４に示すように、下側内筒部材２２の上方部分の内周側取付部２２ｂには、上側内筒部材２４の下方部分の外周側取付部２４ａが取り付けられており、両取付部２２ｂ，２４ａの隙間には、上部空間領域Ｓ１と下部空間領域Ｓ２とが互いに連通しないようにシール部材であるＯリング５６が密封して設けられている。
また、本実施形態では、両取付部２２ｂ，２４ａの隙間を密封するシール部材として、Ｏリング５６を採用した形態について説明するが、Ｘリングやヒレパッキン等の他の形態のシール部材を採用してもよい。
【００２２】
つぎに、図４に示すように、上側内筒部材２４は、その内側に縮径部５８とノズル部６０とからなる漏斗形状部６２を備えている。縮径部５８は、上部空間領域Ｓ１と下部空間領域Ｓ２とを上下方向に区分するように円錐台状に形成されている。ノズル部６０は、この円錐台状の縮径部５８の下端から下方に延びるように形成されている。
また、図４に示すように、ノズル部６０の下端部６０ａは、このノズル部６０の長軸方向（中心軸線Ｃ１）に対して傾斜している。
さらに、図２に示すように、上側内筒部材２４の側部の上方の一部には、上側内筒部材２４の内側と外側とを貫くように切り欠いた縦溝６４が形成されており、上部空間領域Ｓ１内の圧力は、縦溝６４及び通気口２０を介して大気開放されるようになっている。
【００２３】
つぎに、図３に示すように、噴出ノズル孔１４ａの下流側端部の開口直径φ１（例えば、φ１＝３．５ｍｍ）は、ホース継手部材１４の通水路４０の上流側端部の開口直径φ２（例えば、φ２＝４．０ｍｍ）よりも小さくなるように設定されている。これにより、噴出ノズル孔１４ａから流速を高めた洗浄排水を噴出させることができるようになっている。
【００２４】
また、図３及び図４に示すように、ノズル部６０の直径φ３は、噴出ノズル孔１４ａの下流側端部の開口直径φ１（例えば、φ１＝３．５ｍｍ）とほぼ同一に設定されている。
なお、ノズル部６０の直径φ３は、噴出ノズル孔１４ａの下流側端部の開口直径φ１（例えば、φ１＝３．５ｍｍ）以上に設定されてもよい。
しかしながら、ノズル部６０の直径φ３を噴出ノズル孔１４ａの開口直径φ１の３倍よりも大きく設定し過ぎると、噴出ノズル孔１４ａから本体部１２内に噴出された洗浄排水が上部空間領域Ｓ１からノズル部６０を通過している状態で、ノズル部６０内が水流で満たされて水密状態になることが難しくなるため、上部空間領域Ｓ１と下部空間領域Ｓ２との連通を遮断することができなくなる可能性がある。
したがって、ノズル部６０の直径φ３については、噴出ノズル孔１４ａの開口直径φ１よりも大きく設定した場合であっても、噴出ノズル孔１４ａの開口直径φ１の３倍以下の大きさ（例えば、φ１＝３．５ｍｍの場合、φ３＝８．０ｍｍ）に設定するのが好ましい。
【００２５】
さらに、図４に示すように、ノズル部６０の基端部（上端部）から先端部（下端部）までの最大長さＬ１については、１０ｍｍ〜６０ｍｍ程度に設定するのが好ましい。
【００２６】
つぎに、図１〜図５を参照して、本発明の一実施形態による排水トラップ１の作用について説明する。
図５は、本発明の一実施形態による排水トラップにおいて、貯湯式電気温水器から排出された洗浄排水を排水本管へ排水している状態を概略的に説明した図である。
まず、図１〜図３及び図５に示すように、貯湯式電気温水器８の湯水入替機能により貯湯式電気温水器８から排水ホース１０に排出された洗浄排水Ｗ１は、ホース継手部材１４の上流側接続部３８の通水路４０内に流入した後、通水路４０を通過して噴出ノズル孔１４ａ内に流入する。
そして、図２、図３及び図５に示すように、噴出ノズル孔１４ａ内の洗浄排水は、通水路４０の上流側端部の開口直径φ２よりも小さい開口直径φ１の噴出ノズル孔１４ａの下流側端部の開口から流速を高めた状態で洗浄排水を噴出させる。
つぎに、図２〜図５に示すように、噴出ノズル孔１４ａから本体部１２内に噴出された洗浄排水の噴流ｆ１は、上部空間領域Ｓ１内に流入した後、ノズル部６０内を通過して下部空間領域Ｓ２内に流入する。このとき、洗浄排水の噴流ｆ１がノズル部６０内を通過している状態では、ノズル部６０内が水流で満たされて水密状態になるため、上部空間領域Ｓ１と下部空間領域Ｓ２との連通が遮断される。
したがって、排水トラップ１の本体部１２内に仕切り部である上側内筒部材２４が設けられていない場合に比べて、排水トラップ１の内圧（特に、下部空間領域Ｓ２内の圧力）が効果的に高められる。
これらの結果、図５に示すように、排水トラップ１の本体部１２内の洗浄排水Ｗ１は、その水圧が高められた状態で排水トラップ１の流出部１８から接続継手１６の内部の排水路１６ａを経て排水本管６内へ排水される。
【００２７】
また、図５に示すように、万一、排水トラップ１の下流側の排水本管６内において、例えば、異物や堆積物等による詰まりＢや逆勾配施工等による圧力損失によって排水能力を低下させる要因が生じている状態であっても、排水トラップ１内で高められた圧力がキッチンシンク２のトラップ４内の圧力Ｑ（図５参照）を高めて、排水本管６内に滞留していた空気Ａをキッチンシンク２のトラップ４側に押し出して逃がす。これにより、排水本管６内に滞留する閉塞空気Ａの圧力上昇が抑制される。
最終的には、排水トラップ１の下流側の排水本管６内の排水が、排水トラップ１内の下部空間領域Ｓ２から上部空間領域Ｓ１にまで逆流することなく、排水本管６の下流側へ確実に排水される。
【００２８】
上述した本発明の一実施形態による排水トラップ１によれば、貯湯式電気温水器８から排出された洗浄排水が噴出ノズル孔１４ａから本体部１２内に噴出されて上部空間領域Ｓ１から下部空間領域Ｓ２内に流入している状態で、上側内筒部材２４が上部空間領域Ｓ１と下部空間領域Ｓ２とを互いに気密に区分していることにより、下部空間領域Ｓ２内の圧力が上部空間領域Ｓ１内に逃げることを防ぐことができる。
したがって、貯湯式電気温水器８から排水トラップ１の本体部１２内に排出された洗浄排水が、流出部１８からキッチンシンク２のトラップ４から延びる排水本管６へ排水される際に、仕切り部である上側内筒部材２４が設けられていない場合に比べて、排水トラップ１の内圧（特に、下部空間領域Ｓ２内の圧力）を効果的に高めることができるため、排水トラップ１の流出部１８から排水本管６内へ排水される洗浄排水の水圧を高めることができる。
また、万一、排水トラップ１の下流側の排水本管６内において、例えば、異物や堆積物等による詰まりや逆勾配施工等による圧力損失によって排水能力を低下させる要因が生じている状態であっても、排水本管６内に滞留していた空気を排水トラップ１内で高められた圧力によりキッチンシンク２のトラップ４側に押し出して逃がすことができるため、排水本管６内に滞留する空気の圧力上昇を抑制することができる。
これらの結果、排水トラップ１の下流側の排水本管６内の排水が、排水トラップ１内の下部空間領域Ｓ２から上部空間領域Ｓ１にまで逆流し、通気口２０等から排水トラップ１の設置場所の屋内へ漏水することを防ぐことができると共に、貯湯式電気温水器８から排水トラップ１内に排出された洗浄排水を確実に排水本管６へ排水することができる。
【００２９】
また、本実施形態の排水トラップ１によれば、上部空間領域Ｓ１と下部空間領域Ｓ２との間を密封するシール部材であるＯリング５６をさらに有することにより、上部空間領域Ｓ１と下部空間領域Ｓ２との間から洗浄排水が漏出することを防ぐことができる。
また、噴出ノズル孔１４ａから噴出された洗浄排水が上部空間領域Ｓ１を経て下部空間領域Ｓ２に流入している状態で上部空間領域Ｓ１と下部空間領域Ｓ２との互いの気密性をより効果的に高めることができるため、上部空間領域Ｓ１と下部空間領域Ｓ２との間の内圧を高めて、排水本管内に滞留していた空気に対して排水される洗浄排水の水圧を効果的に高めることができる。
【００３０】
さらに、本実施形態の排水トラップ１によれば、上側内筒部材２４の漏斗形状部６２の円錐台状の縮径部５８により上部空間領域Ｓ１と下部空間領域Ｓ２とを上下方向に区分し、上側内筒部材２４の漏斗形状部６２のノズル部６０により上部空間領域Ｓ１と下部空間領域Ｓ２とが連通する流路断面積Ｓ１（図４参照）を絞り込むことができる。
したがって、噴出ノズル孔１４ａから本体部１２内に噴出された洗浄排水が上部空間領域Ｓ１からノズル部６０を通過して下部空間領域Ｓ２内に流入する際の水圧を高めることができ、排水本管６内に滞留していた空気に対して排水される洗浄排水の水圧をより効果的に高めることができる。
【００３１】
また、本実施形態の排水トラップ１によれば、ノズル部６０の直径φ３が、噴出ノズル孔１４ａの下流側端部の開口直径φ１（例えば、φ１＝３．５ｍｍ）とほぼ同一に設定されているため、噴出ノズル孔１４ａから本体部１２内に噴出された洗浄排水が、上部空間領域Ｓ１からノズル部６０を通過している状態では、ノズル部６０内が噴出ノズル孔１４ａから噴出された水流で満たされることにより、上部空間領域Ｓ１と下部空間領域Ｓ２との連通を遮断することができる。
したがって、下部空間領域Ｓ２内の圧力が上部空間領域Ｓ１内に逃げることを防ぐことができる。
【００３２】
さらに、本実施形態の排水トラップ１によれば、ノズル部６０の下端部６０ａがノズル部６０の長軸方向（中心軸線Ｃ１）に対して傾斜していることにより、噴出ノズル孔１４ａから噴出される洗浄排水を止水した際に、ノズル部６０の下端部６０ａにおいて残水の表面張力による水膜が形成され難くなり、水切れを良くすることができる。
したがって、止水時には、上部空間領域Ｓ１と下部空間領域Ｓ２とを互いにノズル部６０で連通させると共に、通気口２０によって大気開放させることができるため、上部空間領域Ｓ１と下部空間領域Ｓ２との間における閉塞空気の発生を抑制することができる。
【００３３】
また、本実施形態の排水トラップ１によれば、噴出ノズル孔１４ａの上流側に設けられて貯湯式電気温水器８から延びる排水ホース１０が接続されるホース継手部材１４の上流側接続部３８をさらに有しており、この上流側接続部３８の内部には、排水ホース１０から上流側接続部３８に排出された洗浄排水を噴出ノズル孔１４ａに流出させる通水路４０が形成され、噴出ノズル孔１４ａの下流側端部の開口直径φ１（例えば、φ１＝３．５ｍｍ）が、ホース継手部材１４の通水路４０の上流側端部の開口直径φ２（例えば、φ２＝４．０ｍｍ）よりも小さくなるように設定されている。
したがって、排水ホース１０から上流側接続部３８の通水路４０に排出されて噴出ノズル孔１４ａに流れ込んだ洗浄排水について、噴出ノズル孔１４ａの下流側端部の開口から流速を高めた状態で洗浄排水を噴出させることができる。
したがって、排水本管６内に滞留していた空気に対して排水される洗浄排水の水圧をより効果的に高めることができる。
【００３４】
なお、上述した本実施形態による排水トラップ１においては、キッチンシンク２のトラップ４から延びる排水本管６と貯湯式電気温水器８とを接続する排水トラップ１として適用した形態について説明したが、このような形態に限られず、洗面器のトラップから延びる排水本管と貯湯式電気温水器とを接続する排水トラップ等に対しても適用可能である。
【００３５】
また、本実施形態による排水トラップ１においては、下側内筒部材２２の内周側取付部２２ｂと上側内筒部材２４の外周側取付部２４ａとの間にＯリング５６を設けることにより、噴出ノズル孔１４ａから本体部１２内に噴出された洗浄排水が上部空間領域Ｓ１からノズル部６０を通過して下部空間領域Ｓ２内に流入している状態で上部空間領域Ｓ１と下部空間領域Ｓ２とを互いに気密に区分する形態について説明したが、他の形態においても実施可能である。
例えば、噴出ノズル孔１４ａから本体部１２内に噴出された洗浄排水が上部空間領域Ｓ１からノズル部６０を通過して下部空間領域Ｓ２内に流入している状態で上部空間領域Ｓ１と下部空間領域Ｓ２とを互いに気密に区分するための仕切り部である他の実施形態として、下側内筒部材２２の内周側取付部２２ｂと上側内筒部材２４の外周側取付部２４ａとの間にＯリング５６を設ける代わりに、下側内筒部材２２に対して上側内筒部材２４を圧入したりしてもよい。
また、下側内筒部材２２と上側内筒部材２４とを一体成形することにより、トラップ形成部と仕切り部とを一体に設けてもよい。
【符号の説明】
【００３６】
１    排水トラップ
２    キッチンシンク
４    キッチンシンクのトラップ
６    排水本管
８    貯湯式電気温水器
１０    排水ホース（排水用の管部材）
１２    本体部
１４    ホース継手部材（接続部材）
１４ａ  噴出ノズル孔（噴出ノズル部）
１６    接続継手
１６ａ  排水路
１８    流出口（流出部）
２０    通気口（通気部）
２２    下側内筒部材（トラップ形成部）
２２ａ  外周側取付部
２２ｂ  内周側取付部
２４    上側内筒部材（仕切り部）
２４ａ  外周側取付部
２６    上側外筒部材（本体部）
２８    下側外筒部材（本体部）
２８ａ  内周側取付部
３０    底部材（本体部）
３８    ホース継手部材の上流側接続部
４０    ホース継手部材の通水路（接続部材の通水路）
４４    下流側接続部（流出部）
４６    逆止弁
５４    Ｏリング
５６    Ｏリング（シール部材）
５８    縮径部
６０    ノズル部
６０ａ  ノズル部の下端部
６２    漏斗形状部
６４    縦溝
Ａ    空気（閉塞空気）
Ｂ    詰まり
Ｃ１  本体部の長手方向の中心軸線
Ｃ２  ホース継手部材の上流側接続部の通水路の中心軸線
ｆ１  噴流
Ｈ１  流出口の下端位置から通気口の下端である溢れ面までの高さ距離
Ｐ１  流出口の下端の高さ位置
Ｐ２  噴出ノズル孔の上端部の高さ位置
Ｑ    キッチンシンクのトラップ内の圧力
Ｓ    本体部内における封水面よりも上方の空間領域
Ｓ１  上部空間領域
Ｓ２  下部空間領域
Ｗ０  封水面
Ｗ１  溢れ面
φ１  噴出ノズル孔の下流側端部の開口直径
φ２  ホース継手部材の通水路の上流側端部の開口直径
φ３  ノズル部の直径
【図１】
0006667101.tif 000002
【図２】
0006667101.tif 000003
【図３】
0006667101.tif 000004
【図４】
0006667101.tif 000005
【図５】
0006667101.tif 000006